(57)【特許請求の範囲】
【請求項１】
テレビ用の商用放送を受信して得られた映像信号と音声信号とを出力する放送受信手段と、
映像信号と音声信号とが記録された記録媒体を再生したときにその再生した映像信号と音声信号とを出力し、一方、音声信号のみが記録された記録媒体を再生したときにその再生した音声信号を出力する再生手段と、
映像信号を表示器に表示する映像表示回路と、
音声信号を増幅してその増幅した音声信号を第１のスピーカに出力する第１の音声信号回路と、
音声信号を増幅してその増幅した音声信号を第２のスピーカに出力する第２の音声信号回路と、
ユーザのキー操作による指示が入力される入力手段と、
外部装置からの映像信号と音声信号とが入力される入力端子と、
入力手段から通常モードが指示入力されたときに、映像表示回路に導かれる映像信号と第１および第２の音声信号回路に導かれる音声信号とを、放送受信回路から出力される映像信号と音声信号、または、再生手段から出力される映像信号と音声信号、または、入力端子に入力される映像信号と音声信号とのいずれかに切り換える制御手段とを備えたテレビジョン受信装置において、
電気的にデータの書き換えが可能な不揮発性の記憶手段を備え、
制御手段は、
入力手段により通常モードから混合モードへの移行を指示入力されたときに、映像表示回路に導かれる映像信号に対応した音声信号を第１の音声信号回路に導くとともに、再生手段から出力される音声信号を第２の音声信号回路に導く制御機能と、
混合モードにおいて入力手段からの指示入力に基づき第１の音声信号回路の音量値と第２の音声信号回路の音量値とのそれぞれを個別に変更する制御機能と、
入力手段により混合モードから通常モードへの移行を指示されたときに、通常モードに移行する前の混合モードにおける第１および第２の音声信号回路のそれぞれの音量値を、通常モード時の音量値である通常音量値に対する変移量として記憶手段に記憶させたのち、入力手段により通常モードから混合モードへの移行を指示入力されたときに、混合モードに移行する前の通常音量値と記憶手段に記憶された変移量とに従って、第１および第２の音声信号回路のそれぞれの増幅率を設定する制御機能と、
混合モードにおいて第１および第２の音声信号回路の音量値を個別に変更する指示が入力手段から入力されたときに、通常音量値と第１の音声信号回路の音量値との差異に対応して指標が移動する第１のインジケータと、通常音量値と第２の音声信号回路の音量値との差異に対応して指標が移動する第２のインジケータとを、互いに近接し且つ指標の移動方向が互いに同一方向となる位置関係でもって前記表示器に表示させる制御機能と、
混合モードにおいて入力手段から音量同時変更モードへの移行の指示が入力されたときに、入力手段の音量キーの操作に対応して第１の音声信号回路の音量値と第２の音声信号回路の音量値とを同時に増減させる制御機能と、
入力手段から別音声モードの指示が入力されたときに、放送受信手段から出力される映像信号または入力端子に入力される映像信号のいずれか一方を映像表示回路に導くとともに、再生手段から出力される音声信号を第１および第２の音声信号回路に導く制御機能と、
を有していることを特徴とするテレビジョン受信装置。
【請求項２】
テレビ用の商用放送を受信して得られた映像信号と音声信号とを出力する放送受信手段と、
映像信号と音声信号とが記録された記録媒体を再生したときにその再生した映像信号と音声信号とを出力し、一方、音声信号のみが記録された記録媒体を再生したときにその再生した音声信号を出力する再生手段と、
映像信号を表示器に表示する映像表示回路と、
音声信号を増幅してその増幅した音声信号を第１のスピーカに出力する第１の音声信号回路と、
音声信号を増幅してその増幅した音声信号を第２のスピーカに出力する第２の音声信号回路と、
ユーザのキー操作による指示が入力される入力手段と、
外部装置からの映像信号と音声信号とが入力される入力端子と、
入力手段から通常モードが指示入力されたときに、映像表示回路に導かれた映像信号と第１および第２の音声信号回路に導かれる音声信号とを、放送受信回路から出力される映像信号と音声信号、または、再生手段から出力される映像信号と音声信号、または、入力端子に入力される映像信号と音声信号とのいずれかに切り換える制御手段とを備えたテレビジョン受信装置において、
制御手段は、
入力手段により通常モードから混合モードへの移行を指示入力されたときに、映像表示回路に導かれる映像信号に対応した音声信号を第１の音声信号回路に導くとともに、再生手段から出力される音声信号を第２の音声信号回路に導く制御機能を有していることを特徴とするテレビジョン受信装置。
【請求項３】
制御手段は、混合モードにおいて、入力手段から第１の音声信号回路の音量値と第２の音声信号回路の音量値とをそれぞれ個別に変更する指示が入力され、続いて、入力手段から第１および第２の音量信号回路の何れか一方を指示したのちに音量変更の指示が入力したときに、指示された音声信号回路に対してのみ通常モード時の音量値である通常音量値から入力手段の指示入力による音量値に個別に変更させる制御機能を有していることを特徴とする請求項２記載のテレビジョン受信装置。
【請求項４】
電気的にデータの書き換えが可能な不揮発性の記憶手段を備え、
制御手段は、入力手段により混合モードから通常モードへの移行の指示が入力されたときに、通常モードに移行する前の混合モード時における第１および第２の音声信号回路のそれぞれの音量値を、通常モード時の音量値である通常音量値に対する各々の差異を音量の変移量として記憶手段に記憶させたのち、入力手段により通常モードから混合モードへの移行の指示が入力されたときに、混合モードに移行する前の通常音量値と記憶手段に記憶された変移量とに従って、第１および第２の音声信号回路のそれぞれの音量を変更するための増幅率を設定する制御機能を有していることを特徴とする請求項３記載のテレビジョン受信装置。
【請求項５】
制御手段は、混合モードにおいて第１および第２の音声信号回路の音量値をそれぞれ個別に変更する指示が入力されたときに、第１および第２の音声信号回路のそれぞれの音量値の変化を指標で表示する第１および第２のインジケータを、互いに近接し、且つ各々の指標の移動方向が同一となる相対配置で表示器に表示させ、続いて、入力手段から音量値を変更すべき第１および第２の音声信号回路の何れかの指示が入力されたときに、その指示された音声信号回路に対応するインジケータを識別表示したのち、その識別表示しているインジケータの指標を通常音量値と入力手段から指示された音量値との差異に対応して移動させ、一方、そのときの通常音量値を表示器の特定エリアに数値表示する制御機能を有していることを特徴とする請求項３または請求項４記載のテレビジョン受信装置。
【請求項６】
制御手段は、混合モードにおいて第１および第２の音声信号回路の音量値をそれぞれ個別に変更する指示が入力されたときに、第１および第２の音声信号回路のそれぞれの音量値の変化を表示する第１および第２のインジケータを、互いに近接し、且つ各々の指標の移動方向が同一となる相対配置で表示器に表示させ、続いて、入力手段から音量値を変更すべき第１および第２の音声信号回路の何れかの指示が入力されたときに、その指示された音声信号回路に対応するインジケータを識別表示したのち、その識別表示しているインジケータの音量値を、入力手段から指示入力された音量値に対応して伸縮する棒状の指標で表示させ、一方、そのときの通常音量値を表示器の特定エリアに数値表示する制御機能を有していることを特徴とする請求項３または請求項４記載のテレビジョン受信装置。
【請求項７】
制御手段は、混合モードにおいて第１および第２の音声信号回路の音量値をそれぞれ個別に変更する指示が入力されたときに、第１の音声信号回路の音量値と第２の音声信号回路の音量値との割合を示すバランスを表示器に表示させ、続いて、入力手段から第１および第２の音声信号回路の何れかの音量値を変更する指示が入力されたときに、その指示に基づきバランスを表示変更させ、一方、そのときの通常音量値を表示器の特定エリアに数値表示する制御機能を有していることを特徴とする請求項２記載のテレビジョン受信装置。
【請求項８】
電気的にデータの書き換えが可能な不揮発性の記憶手段を備え、
制御手段は、入力手段により混合モードから通常モードへの移行の指示が入力されたときに、通常モードに移行する前の混合モードにおける第１の音声信号回路の音量値と第２の音声信号回路の音量値とのバランス値を記憶手段に記憶させたのち、入力手段により通常モードから混合モードへの移行の指示が入力されたときに、混合モードに移行する前の通常モード時の音量値である通常音量値と記憶手段に記憶させたバランス値に従って、第１および第２の音声信号回路のそれぞれの音量を変更するための増幅率を設定する制御機能を有していることを特徴とする請求項７記載のテレビジョン受信装置。
【請求項９】
制御手段は、混合モードにおける第１の音声信号回路の音量値と第２の音声信号回路の音量値とのバランスを変更する指示が入力手段から入力したときに、第１の音声信号回路の音量値と第２の音声信号回路の音量値との割合を示すバランスに対応して指標が水平方向に移動するインジケータを前記表示器に表示する制御機能を有していることを特徴とする請求項７または請求項８記載のテレビジョン受信装置。
【請求項１０】
制御手段は、混合モードにおいて、入力手段の所定のキー操作が入力したときに、音声同時変更モードを設定し、続いて、入力手段の音量キーの操作に対応して第１の音声信号回路の音量値と第２の音声信号回路の音量値とを同時に増減させるとともに、その増減された音量値の変更量を通常音量値に加減して変更した通常音量値を表示器の特定エリアに表示させる制御機能を有していることを特徴とする請求項３から請求項９までのいずれかに記載のテレビジョン受信装置。
【請求項１１】
制御手段は、入力手段から別音声モードの指示が入力されたときに、放送受信手段から出力される映像信号または入力端子に入力された映像信号のいずれか一方を映像信号表示回路に導くとともに、再生手段から出力される音声信号を第１および第２の音声信号回路にそれぞれ導く制御機能を有していることを特徴とする請求項６から請求項１０までのいずれかに記載のテレビジョン受信回路。
【発明の詳細な説明】
【０００１】
【発明の属する技術分野】
本発明は、映像信号と音声信号とが記録された記録媒体や音声信号が記録された記録媒体を再生する再生手段を備えたテレビジョン受信装置に係り、より詳細には、一対の音声信号回路の一方に、表示される映像に対応した音声信号を導き、他方に、再生手段から出力される音声信号を導くテレビジョン受信装置に関するものである。
【０００２】
【従来の技術】
近年のテレビジョン受信装置においては、ビデオゲーム機などの外部装置の接続を可能とするため、外部装置から出力される映像信号と音声信号とを入力するための入力端子が設けられている。そして、入力端子に入力された信号を表示するための操作が行われたときには、入力端子に導かれた映像信号を表示すると共に、入力端子に導かれた音声信号を、スピーカから出力するようになっている（第１の従来技術とする）。
【０００３】
また、２種の音声信号を同時に出力可能とする従来技術の１つに、特開平９−２０５６３２号として提案された技術がある。すなわち、この技術においては、映像信号と対になるテレビ音声信号をデコードするためのテレビ音声デコーダと、テレビ音声信号とは独立した音声信号である独立音声信号をデコードするための独立音声デコーダとを備えている。このため、映像信号とテレビ音声信号、および、独立音声信号が、衛星放送の１つのチャンネルにおいて同時に送信される電波を受信するときには、映像信号とテレビ音声信号を視聴しているときであっても、独立音声信号を聴取することができるようになっている（第２の従来技術とする）。
【０００４】
【発明が解決しようとする課題】
しかし、入力端子にビデオゲーム機を接続し、ビデオゲームをする場合などでは、以下に示す問題が生じていた。すなわち、ビデオゲーム機のロール・プレイング・ゲームなどでは、音声は、単調なメロディからなるＢＧＭと効果音とによって構成されている場合が多い。従って、ロール・プレイング・ゲームをする場合には、ゲーム用として用意されていた音声をスピーカから出力させるとともに、ユーザの好みの音楽をも、併せてスピーカから出力させた方が、ゲームをより楽しめる場合がある。このようなユーザの好みがあるにもかかわらず、第１の従来技術を用いた場合では、ビデオゲーム機からの映像を表示させる場合、音声は、必然的にビデオゲーム機からの音声となってしまうので、ゲームをしながら、ユーザの好みの音楽をも、併せて再生することができなくなっていた。
【０００５】
また、第２の従来技術は、映像信号とテレビ音声信号を視聴しているときであっても、独立音声信号を聴取するための技術となっている。このため、ゲームをしながら、ユーザの好みの音楽をも、併せて再生するという問題については、解決することができなくなっている。
【０００６】
本発明は上記課題を解決するため創案されたものであって、その目的は、ビデオゲームなどをするときに、ビデオゲームの音声に加えて、ユーザの好みの音楽をも、同時に楽しむことのでき、且つ、ビデオゲームの音声の音量と好みの音楽の音量とを、快適となる割合に設定することのでき、且つ、混合モードに移行したときに、再度、音量の割合を調整する操作を不要とすることのでき、且つ、ビデオゲームの音声の音量と好みの音楽の音量との割合を変更するときの操作を容易にすることのでき、且つ、ビデオゲームの音声の音量と好みの音楽の音量との割合を変更することなく、音量を変更するための操作を容易にすることのでき、且つ、好みを音楽を聞きながら、映像を環境映像として楽しむことのできるテレビジョン受信装置を提供することにある。
【０００７】
また本発明の目的は、左右一対のスピーカの一方からは、映像に対応する音声を出力させ、他方からは、音楽などが記録された記録媒体を再生した音声を出力させることにより、ビデオゲームなどをするときに、ビデオゲームの音声に加えて、ユーザの好みの音楽をも、同時に楽しむことのできるテレビジョン受信装置を提供することにある。
【０００８】
また上記目的に加え、左右の音量を個別に変更可能にすることにより、ビデオゲームの音声の音量と好みの音楽の音量とを、快適となる割合に設定することのできるテレビジョン受信装置を提供することにある。
【０００９】
また上記目的に加え、左右を異なる音声とする混合モードに移行したときには、以前の混合モード時の音量の割合を復元することにより、混合モードに移行したときに、再度、音量の割合を調整する操作を不要とすることのできるテレビジョン受信装置を提供することにある。
【００１０】
また上記目的に加え、同方向に指標が移動する一対のインジケータでもって、左右の音量値のそれぞれを表示することにより、ビデオゲームの音声の音量と好みの音楽の音量との割合を変更するときの操作を容易にすることのできるテレビジョン受信装置を提供することにある。
【００１１】
また上記目的に加え、左右の音量のバランスを変更可能とすることにより、ビデオゲームの音声の音量と好みの音楽の音量とを、快適となる割合に設定することのできるテレビジョン受信装置を提供することにある。
【００１２】
また上記目的に加え、指標が水平方向に移動するインジケータでもって、左右の音量値の割合を表示することにより、ビデオゲームの音声の音量と好みの音楽の音量との割合を変更するときの操作を容易にすることのできるテレビジョン受信装置を提供することにある。
【００１３】
また上記目的に加え、混合モードにおいて、左右の音量を同時に変更可能とすることにより、ビデオゲームの音声の音量と好みの音楽の音量との割合を変更することなく、音量を変更するための操作を容易にすることのできるテレビジョン受信装置を提供することにある。
【００１４】
また上記目的に加え、ディスクを再生した音声を左右のスピーカから出力し、表示器には、外部から入力された映像信号や受信した映像信号の映像を表示することにより、好みを音楽を聞きつつ、映像を環境映像として楽しむことのできるテレビジョン受信装置を提供することにある。
【００１５】
【課題を解決するための手段】
上記課題を解決するため本発明に係るテレビジョン受信装置は、入力手段から通常モードが指示入力されたときに、映像表示回路に導かれる映像信号と第１および第２の音声信号回路に導かれる音声信号とを、放送受信回路から出力される映像信号と音声信号、または、再生手段から出力される映像信号と音声信号、または、入力端子に入力される映像信号と音声信号とのいずれかに切り換える制御手段とを備えたテレビジョン受信装置において、電気的にデータの書き換えが可能な不揮発性の記憶手段を備え、制御手段は、入力手段により通常モードから混合モードへの移行を指示入力されたときに、映像表示回路に導かれる映像信号に対応した音声信号を第１の音声信号回路に導くとともに、再生手段から出力される音声信号を第２の音声信号回路に導く制御機能と、混合モードにおいて入力手段からの指示入力に基づき第１の音声信号回路の音量値と第２の音声信号回路の音量値とのそれぞれを個別に変更する制御機能と、入力手段により混合モードから通常モードへの移行を指示されたときに、通常モードに移行する前の混合モードにおける第１および第２の音声信号回路のそれぞれの音量値を、通常モード時の音量値である通常音量値に対する変移量として記憶手段に記憶させたのち、入力手段により通常モードから混合モードへの移行を指示入力されたときに、混合モードに移行する前の通常音量値と記憶手段に記憶された変移量とに従って、第１および第２の音声信号回路のそれぞれの増幅率を設定する制御機能と、混合モードにおいて第１および第２の音声信号回路の音量値を個別に変更する指示が入力手段から入力されたときに、通常音量値と第１の音声信号回路の音量値との差異に対応して指標が移動する第１のインジケータと、通常音量値と第２の音声信号回路の音量値との差異に対応して指標が移動する第２のインジケータとを、互いに近接し且つ指標の移動方向が互いに同一方向となる位置関係でもって前記表示器に表示させる制御機能と、混合モードにおいて入力手段から音量同時変更モードへの移行の指示が入力されたときに、入力手段の音量キーの操作に対応して第１の音声信号回路の音量値と第２の音声信号回路の音量値とを同時に増減させる制御機能と、入力手段から別音声モードの指示が入力されたときに、放送受信手段から出力される映像信号または入力端子に入力される映像信号のいずれか一方を映像表示回路に導くとともに、再生手段から出力される音声信号を第１および第２の音声信号回路に導く制御機能と、を有している。
【００１６】
すなわち、映像表示回路に導かれる映像信号と第１および第２の音声信号回路に導かれる音声信号とを、入力端子に入力されたビデオゲーム機からの信号とした状態において、混合モードに移行すると、第１のスピーカからはビデオゲーム機の音声が出力され、第２のスピーカからは再生手段により再生された音声が出力される。且つ、第１のスピーカの音量と第２のスピーカの音量とを別々に調整できる。且つ、混合モードに移行したときには、以前の混合モード時の音量の割合が復元される。且つ、同方向に指標が移動する一対のインジケータでもって、第１および第２の音声信号回路のそれぞれの音量値が表示される。且つ、音量同時変更モードに移行すると、第１および第２のスピーカの音量が同時に増減する。且つ、第１および第２のスピーカから出力される音声を、表示される映像とは別の音声とすることができる。
【００１７】
また、本発明に係るテレビジョン受信装置は、音声信号を増幅してその増幅した音声信号を第１のスピーカに出力する第１の音声信号回路と、音声信号を増幅してその増幅した音声信号を第２のスピーカに出力する第２の音声信号回路とを備え、入力手段から通常モードが指示入力されたときに、映像表示回路に導かれた映像信号と第１および第２の音声信号回路に導かれる音声信号とを、放送受信回路から出力される映像信号と音声信号、または、再生手段から出力される映像信号と音声信号、または、入力端子に入力される映像信号と音声信号とのいずれかに切り換える制御手段とを備えたテレビジョン受信装置において、制御手段は、入力手段により通常モードから混合モードへの移行を指示入力されたときに、映像表示回路に導かれる映像信号に対応した音声信号を第１の音声信号回路に導くとともに、再生手段から出力される音声信号を第２の音声信号回路に導く制御機能を有している。
【００１８】
すなわち、映像表示回路に導かれる映像信号と第１および第２の音声信号回路に導かれる音声信号とを、入力端子に入力されたビデオゲーム機からの信号とした状態において、混合モードに移行すると、第１のスピーカからはビデオゲーム機の音声が出力され、第２のスピーカからは再生手段により再生された音声が出力される。
【００１９】
また、上記構成に加え、制御手段は、混合モードにおいて、入力手段から第１の音声信号回路の音量値と第２の音声信号回路の音量値とをそれぞれ個別に変更する指示が入力され、続いて、入力手段から第１および第２の音量信号回路の何れか一方を指示したのちに音量変更の指示が入力したときに、指示された音声信号回路に対してのみ通常モード時の音量値である通常音量値から入力手段の指示入力による音量値に個別に変更させる制御機能を有している。すなわち、第１のスピーカの音量と第２のスピーカの音量とを別々に調整できる。
【００２０】
また、上記構成に加え、電気的にデータの書き換えが可能な不揮発性の記憶手段を備え、
制御手段は、入力手段により混合モードから通常モードへの移行の指示が入力されたときに、通常モードに移行する前の混合モード時における第１および第２の音声信号回路のそれぞれの音量値を、通常モード時の音量値である通常音量値に対する各々の差異を音量の変移量として記憶手段に記憶させたのち、入力手段により通常モードから混合モードへの移行の指示が入力されたときに、混合モードに移行する前の通常音量値と記憶手段に記憶された変移量とに従って、第１および第２の音声信号回路のそれぞれの音量を変更するための増幅率を設定する制御機能を有している。すなわち、混合モードに移行したときには、以前の混合モード時の音量の割合が復元される。
【００２１】
また、上記構成に加え、制御手段は、混合モードにおいて第１および第２の音声信号回路の音量値をそれぞれ個別に変更する指示が入力されたときに、第１および第２の音声信号回路のそれぞれの音量値の変化を指標で表示する第１および第２のインジケータを、互いに近接し、且つ各々の指標の移動方向が同一となる相対配置で表示器に表示させ、続いて、入力手段から音量値を変更すべき第１および第２の音声信号回路の何れかの指示が入力されたときに、その指示された音声信号回路に対応するインジケータを識別表示したのち、その識別表示しているインジケータの指標を通常音量値と入力手段から指示された音量値との差異に対応して移動させ、一方、そのときの通常音量値を表示器の特定エリアに数値表示する制御機能を有している。すなわち、同方向に指標が移動する一対のインジケータでもって、第１および第２の音声信号回路のそれぞれの音量値が表示される。
【００２２】
また、上記構成に加え、制御手段は、混合モードにおいて第１および第２の音声信号回路の音量値をそれぞれ個別に変更する指示が入力されたときに、第１および第２の音声信号回路のそれぞれの音量値の変化を表示する第１および第２のインジケータを、互いに近接し、且つ各々の指標の移動方向が同一となる相対配置で表示器に表示させ、続いて、入力手段から音量値を変更すべき第１および第２の音声信号回路の何れかの指示が入力されたときに、その指示された音声信号回路に対応するインジケータを識別表示したのち、その識別表示しているインジケータの音量値を、入力手段から指示入力された音量値に対応して伸縮する棒状の指標で表示させ、一方、そのときの通常音量値を表示器の特定エリアに数値表示する制御機能を有している。すなわち、同方向に指標が移動する一対のインジケータでもって、第１および第２の音声信号回路のそれぞれの音量値が表示される。
【００２３】
また、上記構成に加え、制御手段は、混合モードにおいて第１および第２の音声信号回路の音量値をそれぞれ個別に変更する指示が入力されたときに、第１の音声信号回路の音量値と第２の音声信号回路の音量値との割合を示すバランスを表示器に表示させ、続いて、入力手段から第１および第２の音声信号回路の何れかの音量値を変更する指示が入力されたときに、その指示に基づきバランスを表示変更させ、一方、そのときの通常音量値を表示器の特定エリアに数値表示する制御機能を有している。すなわち、第１および第２のスピーカの音量のバランスを変更することができる。
【００２４】
また、上記構成に加え、電気的にデータの書き換えが可能な不揮発性の記憶手段を備え、制御手段は、入力手段により混合モードから通常モードへの移行の指示が入力されたときに、通常モードに移行する前の混合モードにおける第１の音声信号回路の音量値と第２の音声信号回路の音量値とのバランス値を記憶手段に記憶させたのち、入力手段により通常モードから混合モードへの移行の指示が入力されたときに、混合モードに移行する前の通常モード時の音量値である通常音量値と記憶手段に記憶させたバランス値に従って、第１および第２の音声信号回路のそれぞれの音量を変更するための増幅率を設定する制御機能を有している。すなわち、混合モードに移行するときには、以前の混合モード時の音量の割合が復元される。
【００２５】
また、上記構成に加え、制御手段は、混合モードにおける第１の音声信号回路の音量値と第２の音声信号回路の音量値とのバランスを変更する指示が入力手段から入力したときに、第１の音声信号回路の音量値と第２の音声信号回路の音量値との割合を示すバランスに対応して指標が水平方向に移動するインジケータを前記表示器に表示する制御機能を有している。すなわち、指標が水平方向に移動するインジケータでもって、第１および第２の音声信号回路の音量値の割合が表示される。
【００２６】
また、上記構成に加え、制御手段は、混合モードにおいて、入力手段の所定のキー操作が入力したときに、音声同時変更モードを設定し、続いて、入力手段の音量キーの操作に対応して第１の音声信号回路の音量値と第２の音声信号回路の音量値とを同時に増減させるとともに、その増減された音量値の変更量を通常音量値に加減して変更した通常音量値を表示器の特定エリアに表示させる制御機能を有している。すなわち、音声同時変更モードに移行すると、第１および第２のスピーカの音量が同時に増減する。
【００２７】
また、上記構成に加え、制御手段は、入力手段から別音声モードの指示が入力されたときに、放送受信手段から出力される映像信号または入力端子に入力された映像信号のいずれか一方を映像信号表示回路に導くとともに、再生手段から出力される音声信号を第１および第２の音声信号回路にそれぞれ導く制御機能を有している。すなわち、第１および第２のスピーカから出力される音声を、表示される映像とは別の音声とすることができる。
【００２８】
【発明の実施の形態】
以下に本発明の実施例の形態を、図面を参照しつつ説明する。
図１は、本発明に係るテレビジョン受信装置の第１の実施形態の電気的構成を示すブロック線図であり、具体的には、ＤＶＤ再生機能付ＶＣＲ一体型テレビジョン受信装置を示している。また、図２は、リモートコントローラのキースイッチを示す説明図となっている。
【００２９】
図において、放送受信手段８は、テレビ用のＶＨＦ帯域やＵＨＦ帯域の商用放送を受信するためのブロックとなっている。このため、チューナや中間周波増幅回路や検波回路等を備えている。そして、商用放送の受信を行うときには、受信により得られた映像信号を、スイッチ１３のａ接点に出力する。また、受信により得られた音声信号のうち、左チャンネル用の音声信号をスイッチ１１のａ接点に出力し、右チャンネル用の音声信号をスイッチ１２のａ接点に出力する。
【００３０】
再生手段９は、ＤＶＤやオーディオ用ＣＤ、あるいは、ＭＰ３方式（ＭＰＥＧ１レイヤ３方式）で音声信号が記録されたＣＤーＲＯＭなどのディスク（請求項記載の記録媒体）を再生するためのブロックとなっている。そして、ＤＶＤなどの、映像信号と音声信号とが記録されたディスクを再生するときには、再生した映像信号を、スイッチ１３のｂ接点に出力する。また、再生した音声信号のうち、左チャンネル用の音声信号をスイッチ１１のｂ接点に出力し、右チャンネル用の音声信号をスイッチ１２のｂ接点に出力する。また、ＣＤやＣＤーＲＯＭなどの、音声信号のみが記録された光ディスクを再生するときには、再生した音声信号のうち、左チャンネル用の音声信号をスイッチ１１のｂ接点に出力し、右チャンネル用の音声信号をスイッチ１２のｂ接点に出力する。
【００３１】
ビデオカセットレコーダ部（以下ではＶＣＲ部と称する）１０は、テレビ用の商用放送の録画や、録画されたビデオカセットテープの再生を行うブロックとなっている。そして、ビデオカセットテープの再生を行うときには、再生した映像信号を、スイッチ１３のｃ接点に出力する。また、再生した音声信号のうち、左チャンネル用の音声信号をスイッチ１１のｃ接点に出力し、右チャンネル用の音声信号をスイッチ１２のｃ接点に出力する。
【００３２】
入力端子６は、ビデオゲーム機などの外部装置が接続される端子となっており、映像信号が入力される映像信号用端子３０と、左チャンネルの音声信号が入力される音声信号端子３１と、右チャンネルの音声信号が入力される音声信号端子３２とを備えている。そして、映像信号用端子３０はスイッチ１３のｄ接点に接続され、音声信号端子３１はスイッチ１１のｄ接点に接続され、音声信号端子３２はスイッチ１２のｄ接点に接続されている。
【００３３】
映像表示回路７は、スイッチ１３から出力される映像信号に所定処理を施すブロックとなっている。そして、所定処理を施すことにより得られた信号でもって、表示器であるＣＲＴ１４を駆動することにより、映像信号をＣＲＴ１４に表示する。すなわち、放送受信手段８から出力される映像信号、または、再生手段９から出力される映像信号、または、ＶＣＲ部１０から出力される映像信号、または、映像信号用端子３０に入力された映像信号のうち、スイッチ１３の接続に対応した映像信号をＣＲＴ１４に表示する。
【００３４】
また、映像表示回路７は、スイッチ１３のｅ接点から出力される映像信号をＣＲＴ１４に表示した状態において、音量値を示すためのインジケータなどを映像に重畳表示するため、オンスクリーンディスプレイ回路（以下ではＯＳＤ回路と称する）２７を備えている。
【００３５】
第１の音声信号回路１は、左チャンネル用の増幅回路となっており、スイッチ１１のｅ接点から出力される音声信号を、制御手段３により設定された増幅率でもって増幅し、増幅した音声信号をスピーカ２１に送出する。また、第２の音声信号回路２は、右チャンネル用の増幅回路となっており、スイッチ１２のｅ接点から出力される音声信号を、制御手段３により設定された増幅率でもって増幅し、増幅した音声信号をスピーカ２２に送出する。
【００３６】
スイッチ１３は、映像表示回路７に導かれる映像信号を切り換えるためのスイッチとなっている。また、スイッチ１１は、第１の音声信号回路１に導かれる音声信号を切り換えるためのスイッチ、スイッチ１２は、第２の音声信号回路２に導かれる音声信号を切り換えるためのスイッチとなっている。そして、これら３つのスイッチ１１〜１３の接続は、制御手段３により制御されるようになっている。
【００３７】
入力手段４は、入力回路２６とリモートコントローラ２５とによって構成されており、入力回路２６は、図示されない装置本体の前面の下部に設けられた複数のキースイッチや、リモートコントローラ２５から送信される赤外線を受光する受光部等からなるブロックとなっていて、ユーザからの指示が入力される。リモートコントローラ２５は、放送受信手段８が受信するチャンネルを指定するための複数の数字キー５８や、再生手段９やＶＣＲ部１０の動作を指示するための複数のキースイッチ５９、および、その他のキースイッチ４１〜４８，・・・を備えたブロックとなっている。なお、リモートコントローラ２５に設けられた複数のキースイッチのうち、本実施形態に関連するキースイッチ４１〜４８の用途については、後に詳述する。
【００３８】
制御手段３は、マイクロコンピュータを主要部として構成されたブロックとなっており、ＤＶＤ再生機能付ＶＣＲ一体型テレビジョン受信装置としての主要動作を制御する。すなわち、リモートコントローラ２５などに入力されたユーザの指示に従って、放送受信手段８が受信するチャンネルなどを制御する。また、再生手段９の動作やＶＣＲ部１０の動作などを制御する。また、スイッチ１１〜１３の接続を制御する。
【００３９】
また、０〜６３の６４段階に設定可能である音量値と、０〜２５５の２５６段階に設定可能である増幅率との対応関係を示すデータテーブルに基づき、第１および第２の音声信号回路１，２のそれぞれの増幅率を、ユーザにより指示された音量値に対応する値に設定する。また、第１の音声信号回路１の音量値を示す第１のインジケータや、第２の音声信号回路２の音量値を示す第２のインジケータ（後に詳述する）などの、各種の情報をＣＲＴ１４に表示させるため、ＯＳＤ回路２７の動作を制御する。
【００４０】
詳細に説明すると、制御手段３は、通常モードにおいては、スイッチ１１〜１３の接続を制御することにより、映像表示回路７に導かれる映像信号と第１および第２の音声信号回路１，２に導かれる音声信号とを、放送受信手段８から出力される映像信号と音声信号、あるいは、再生手段９から出力される映像信号と音声信号、あるいは、ＶＣＲ部１０から出力される映像信号と音声信号、あるいは、映像信号用端子３０に入力された映像信号と音声信号端子３１，３２に入力された音声信号とに切り換える。
【００４１】
また、制御手段３は、通常モードから混合モードに移行したときには、映像表示回路７に導かれる映像信号に対応した音声信号を第１の音声信号回路１に導き、再生手段９から出力される音声信号を第２の音声信号回路に導く。すなわち、放送受信手段８から出力される映像信号を映像表示回路７に導くとともに、放送受信手段８から出力される音声信号を第１の音声信号回路１に導くとき、再生手段９から出力される音声信号を第２の音声信号回路２に導く。また、ＶＣＲ部１０から出力される映像信号を映像表示回路７に導くとともに、ＶＣＲ部１０から出力される音声信号を第１の音声信号回路１に導くとき、再生手段９から出力される音声信号を第２の音声信号回路２に導く。また、映像信号用端子３０に入力された映像信号を映像表示回路７に導くとともに、音声信号端子３１に入力された音声信号を第１の音声信号回路１に導くとき、再生手段９から出力される音声信号を第２の音声信号回路２に導く。
【００４２】
また、制御手段３は、混合モードにおいては、第１の音声信号回路１の音量値と第２の音声信号回路２の音量値とのそれぞれを、入力手段４に入力されたキー操作（後に詳述する）に従って、個別に変更する。また、混合モードから通常モードへ移行するときには、通常モードに移行する前の第１および第２の音声信号回路１，２のそれぞれの音量値を、通常モード時の音量値である通常音量値に対する変移量の形で、電気的にデータの書き換えが可能な不揮発性の記憶手段であるＥＥＰＲＯＭ５に記憶する。そして、通常モードから混合モードに移行したときには、通常音量値とＥＥＰＲＯＭ５に記憶された変移量とに従って、第１および第２の音声信号回路１，２の増幅率のそれぞれを設定する。
【００４３】
また、制御手段３は、混合モードにおいて、第１および第２の音声信号回路１，２の音量値を個別に変更するときには、図５に示したように、通常音量値と第１の音声信号回路１の音量値との差異に対応して指標６１１が移動する第１のインジケータ６１と、通常音量値と第２の音声信号回路２の音量値との差異に対応して指標６２１が移動する第２のインジケータ６２とをＣＲＴ１４に表示させる。なお、第１および第２のインジケータ６１，６２は、互いに近接した位置関係おいて、指標６１１，６２１の移動方向が、共にＣＲＴ１４の画面における上下方向となり、且つ、差異が０となるときの上下方向における位置が同一となるように表示される。また、エリア６３に、混合モードに移行する前の音量値である通常音量値を、数値によって表示する。
【００４４】
また、制御手段３は、混合モードにおいて、リモートコントローラ２５に所定のキー操作（後述する）を入力すると、音量同時変更モードに移行する。そして、音量同時変更モードに移行したときには、リモートコントローラ２５の音量キー４２，４３の操作に対応して、第１の音声信号回路１の音量値と第２の音声信号回路２の音量値とを同時に増減させる。
【００４５】
また、制御手段３は、リモートコントローラ２５に所定のキー操作（後述する）を入力すると、別音声モードに移行する。そして、別音声モードとなるときには、放送受信手段８から出力される映像信号、または、ＶＣＲ部１０から出力される映像信号、または、映像信号用端子３０に入力された映像信号を映像表示回路７に導き、再生手段９から出力される音声信号を第１および第２の音声信号回路１，２に導く。
【００４６】
図３は、第１の実施形態の主要動作を示すフローチャート、図４は、第１の実施形態の混合モードにおける音量調整時の主要動作を示すフローチャートである。必要に応じて同図を参照しつつ、第１の実施形態の動作を説明する。
【００４７】
なお、以下における説明では、放送受信手段８から出力される映像信号が映像表示回路７に導かれ、放送受信手段８から出力される音声信号が第１および第２の音声信号回路１，２に導かれる状態と、映像信号用端子３０に入力された映像信号が映像表示回路７に導かれ、音声信号端子３１，３２に入力された音声信号が第１および第２の音声信号回路１，２に導かれる状態をテレビモードと称する。また、再生手段９から出力される映像信号が映像表示回路７に導かれ、再生手段９から出力される音声信号が第１および第２の音声信号回路１，２に導かれる状態をディスク再生モードと称する。また、ＶＣＲ部１０から出力される映像信号が映像表示回路７に導かれ、ＶＣＲ部１０から出力される音声信号が第１および第２の音声信号回路１，２に導かれる状態をＶＣＲモードと称する。
【００４８】
なお、テレビモード、ディスク再生モード、および、ＶＣＲモードは、請求項記載の通常モードに属する動作モードとなっている。そして、通常モードにおいて、ユーザにより指示された音量値を、以下では、通常音量値と称する。
【００４９】
ビデオゲーム機（図示を省略）を用いてゲームを行うため、ビデオゲーム機を入力端子６に接続したとする。この状態において、ビデオゲーム機から出力される音声と、ＣＤに記録された音楽との双方を聞きながら、ビデオゲームを行おうとするときには、リモートコントローラ２５に、外部入力のためのキー操作を入力することによって、映像信号用端子３０に入力された映像信号を映像表示回路７に導き、音声信号端子３１，３２に入力された音声信号を第１および第２の音声信号回路１，２に導く。つまり、通常モードの１つであるテレビモードにおいて、外部入力のモードに設定する。また、再生手段９に、好みの音楽が記録されたＣＤをセットする。
【００５０】
上記状態において、リモートコントローラ２５の再生キー４４を操作すると（ステップＳ１）、制御手段３は、そのときのモードがディスク再生モードとなっているかどうかを調べる（ステップＳ２）。このときでは、テレビモードであることから、動作はステップＳ３に移行する。ステップＳ３において、制御手段３は、通常モードから混合モードに移行するための制御を行う。
【００５１】
すなわち、ビデオゲーム機からの映像信号を映像表示回路７に導き、ビデオゲーム機からの音声信号を第１の音声信号回路１に導いた状態において、スイッチ１２のｅ接点をｂ接点に接続する。つまり、再生手段９から出力される音声信号を、右チャンネルの音声信号のための第２の音声信号回路２に導く。そして、ＥＥＰＲＯＭ５に記憶された変移量（後に詳述する）と、混合モードに移行する前の通常音量値とから、第１および第２の音声信号回路１，２の増幅率を設定する（ステップＳ４）。そして、再生手段９における再生を開始させる（ステップＳ５）。
【００５２】
以上の制御の結果、ＣＲＴ１４にはビデオゲームの映像が表示され、左チャンネル用のスピーカ２１からはビデオゲームの音声が出力され、右チャンネル用のスピーカ２２からは、ＣＤを再生した音声が出力される。従って、ユーザは、ＣＤの再生音とビデオゲームの効果音とを併せて聞きながら、ビデオゲームを楽しむことになる。その一方で、制御手段３は、ステップＳ６〜Ｓ８のループ動作を行う。つまり、ＤＶＤ／ＴＶキー４１、上下キー４７，４８、および、音量キー４２，４３が操作されたかどうかを調べる。
【００５３】
ユーザは、ＣＤの再生音とビデオゲームの効果音とを併せて聞きながら、ビデオゲームを楽しむ状態で、ビデオゲームの音量とＣＤの音量とを変えたいと思ったときには、音量キー４２，４３の任意の一方を操作する。音量キー４２，４３の任意の一方を操作すると、動作は、ステップＳ８からステップＳ９に移行し、左右の音量のそれぞれを個別に変更するための制御が開始される。
【００５４】
左右の音量の個別調整となったときには、図５を参照しつつ既に説明したように、第１のインジケータ６１と第２のインジケータ６２とが、ＣＲＴ１４に表示される。また、通常音量値を示す数値がエリア６３に表示される（ステップＳ２１）。なお、第１のインジケータ６１の横棒状の指標６１１は、第１の音声信号回路１の音量値と通常音量値との差異に対応して移動し、第２のインジケータ６２の横棒状の指標６２１は、第２の音声信号回路２の音量値と通常音量値との差異に対応して移動する。従って、第１および第２の音声信号回路１，２の音量値が、共に通常音量値に等しい場合、指標６１１，６２１は、共に、縦方向の中央に位置することになる。
【００５５】
第１および第２のインジケータ６１，６２がＣＲＴ１４に表示された状態において、左キー４５を操作すると、左側の音量の変更が可能であることを示すため、第１のインジケータ６１が点滅する（ステップＳ２２，Ｓ３１）。この状態において、音量キー４２，４３を操作すると、操作したキーに対応して、第１の音声信号回路１の音量値（増幅率）が変わるとともに、指標６１１が上下に移動する（ステップＳ３２，Ｓ３３）。
【００５６】
また、ステップＳ２１により第１および第２のインジケータ６１，６２が表示された状態において、右キー４６を操作すると、右側の音量の変更が可能であることを示すため、第２のインジケータ６２が点滅する（ステップＳ２３，Ｓ２９）。この状態において、音量キー４２，４３を操作すると、操作したキーに対応して、第２の音声信号回路２の音量値（増幅率）が変わるとともに、指標６２１が上下に移動する（ステップＳ３０，Ｓ３３）。
【００５７】
また、ステップＳ２１により第１および第２のインジケータ６１，６２が表示された状態において、音量キー４２，４３の任意の側を操作すると、左右の音量を同時に可能である音量同時変更モードに移行する。そして、音量同時変更モードに移行したことを示すため、第１および第２のインジケータ６１，６２の双方が点滅する（ステップＳ２４，Ｓ２５）。この状態において、改めて音量キー４２，４３を操作すると、操作したキーに対応して、左右の音量が同時に変わる（ステップＳ２６）。そして、音量の変更が終了したときには、第１および第２のインジケータ６１，６２の点滅が停止する（ステップＳ２７）。
【００５８】
なお、このときでは、指標６１１，６２１は移動しない。そして、上記した操作による音量値の変更量は、通常音量値に加算される。つまり、通常音量値が変更される。その結果、エリア６３に表示された通常音量値を示す数値が変更される（ステップＳ２８）。
【００５９】
以上で、ステップＳ６〜Ｓ８のループ動作を行っているときに、音量キー４２，４３を操作した場合の動作説明を終了し、以下に、ステップＳ６〜Ｓ８のループ動作を行っているときに、上下キー４７，４８を操作した場合の動作を説明する。
【００６０】
ステップＳ６〜Ｓ８のループ動作において、上下キー４７，４８の任意の側が操作された場合、制御手段３は、スイッチ１１のｅ接点を、ｄ接点からｂ接点に変更する。つまり、第１の音声信号回路１にも、再生手段９から出力される音声信号を導く。その結果、第１および第２の音声信号回路１，２の双方に再生手段９からの音声信号が導かれ、左右の音声が、共に、ＣＤを再生した音声となる（ステップＳ１０）。そして、この状態において音量キー４２，４３を操作すると、操作したキーに対応して、第１および第２の音声信号回路１，２の音量値の双方が同時に変更される（この動作については、図示が省略されている）。また、このときの音量値の変更量は通常音量値に加算され、通常音量値を変更する。
【００６１】
以上で、ステップＳ６〜Ｓ８のループ動作を行っているときに、上下キー４７，４８を操作した場合の動作説明を終了し、以下に、ステップＳ６〜Ｓ８のループ動作を行っているときに、ＤＶＤ／ＴＶキー４１を操作した場合の動作を説明する。
【００６２】
ステップＳ６〜Ｓ８のループ動作において、ＤＶＤ／ＴＶキー４１が操作された場合、制御手段３は、混合モードから通常モードに移行するための制御を行う。すなわち、次に混合モードとなったときに、左右の音量の差異を、このときの音量の差異に等しく設定できるようにするため、第１の音声信号回路１の音量値と通常音量値との差異、および、第２の音声信号回路２の音量値と通常音量値との差異を、音量変移量として、記憶手段であるＥＥＰＲＯＭ５に記憶する（ステップＳ１１）。なお、この記憶された値は、次に混合モードとなったとき、ステップＳ４の動作において使用される。
【００６３】
次いで、制御手段３は、テレビモードにおける音声とするため、スイッチ１２のｅ接点の接続を、ｂ接点からｄ接点に変更し、第１および第２の音声信号回路１，２の双方に、入力端子６に入力された音声信号を導く（ステップＳ１２）。また、第１および第２の音声信号回路１，２の増幅率を、通常音量値に対応した値に設定する（ステップＳ１３）。そして後、再生手段９の再生動作を停止させる（ステップＳ１４）。その結果、ＣＲＴ１４にはビデオゲームの映像が表示され、左右のスピーカ２１，２２からは、ビデオゲームの音声が出力される。
【００６４】
以下に、補足的な説明として、ステップＳ４の動作、つまり、通常モードから混合モードに移行したときの第１および第２の音声信号回路１，２の音量値の設定動作について、詳細に説明する。
【００６５】
すなわち、前回の混合モード時では、通常音量値が、例えば２５であったとする。また、ＣＤの音をよりよく聞くため、ビデオゲームの音声側である第１の音声信号回路１の音量値が２１と小さくされ、ＣＤの音声側である第２の音声信号回路２の音量値が３０に大きくされていたとする。従って、このときでは、ＥＥＰＲＯＭ５に記憶された音量変移量は、第１の音声信号回路１については−４、第２の音声信号回路２については５になっている。そして、今回、通常モードから混合モードに移行したときの通常モード時の音量値（通常音量値）が、例えば３０になっているとすると、第１の音声信号回路１の音量値は２６、第２の音声信号回路２の音量値は３５に設定される。
【００６６】
また、再生キー４４を操作したときのモードがディクク再生モードであったときの説明を行うと、この場合、動作は、ステップＳ２からステップＳ１５に移行する。つまり、通常モードのまま、再生手段９にＣＤの再生を行わせる。このため、第１のスピーカ２１と第２のスピーカ２２とからは、ＣＤを再生した音声が出力される。
【００６７】
また、再生キー４４を操作したときのモードがＶＣＲモードであった場合、動作は、ステップＳ３〜Ｓ５を経て、ステップＳ６〜Ｓ８のループ動作に移行する。このループ動作において、上下キー４７，４８を操作すると別音声モードとなり（ステップＳ１０）、ＣＲＴ１４にはＶＣＲ部１０が再生する映像が表示され、第１および第２のスピーカ２１，２２からは、ＣＤを再生した音声が出力される。従って、このときでは、好みの音楽を楽しみつつ、ＶＣＲ部１０が再生した映像を、環境的な映像として、同時に楽しむことができる。
【００６８】
以上で第１の実施形態の説明を終了するが、第１の実施形態の変形として、以下に示す構成とすることができる。すなわち、第１および第２のインジケータを、音量値と通常音量値との差異ではなく、第１および第２の音声信号回路１，２のそれぞれの音量値そのものを示す構成とすることができる。なお、このときでは、図６に示したように、第１および第２のインジケータ６４，６５の指標６４１，６５１を、音量値に対応して、画面の上下方向に伸縮する棒状とする。また、エリア６６に、通常音量値を示す数値を表示する。
【００６９】
また、このときでも、混合モードから通常モードに移行するときには、第１の音声信号回路１の音量値と通常音量値との差異、および、第２の音声信号回路２の音量値と通常音量値との差異を、音量変移量として、記憶手段であるＥＥＰＲＯＭ５に記憶する（ステップＳ１１）。
【００７０】
以下に第２の実施形態について説明するが、第２の実施形態は、電気的構成のブロック線図として示すときには、図１に示す構成と同一となり、制御手段３の構成が一部においてのみ異なる。このため、第２の実施形態の電気的構成については、第１の実施形態の制御手段３との差異についてのみ、説明を行う。
【００７１】
制御手段３は、混合モードにおいては、第１の音声信号回路１の音量値と第２の音声信号回路２の音量値とのバランスを、入力手段４に入力されたキー操作（後に詳述する）に従って変更する。また、混合モードにおいて、第１の音声信号回路１の音量値と第２の音声信号回路２の音量値とのバランスを変更するときには、図８に示したように、第１の音声信号回路１の音量値と第２の音声信号回路２の音量値とのバランスに対応して、指標６７１が水平方向に移動するインジケータ６７をＣＲＴ１４に表示させる。また、エリア６８に通常音量値を表示させる。
【００７２】
また、制御手段３は、第１の実施形態と同様に、通常モードに移行するときには、混合モードから通常モードへ移行する前の第１および第２の音声信号回路１，２のそれぞれの音量値を、通常モード時の音量値である通常音量値に対する変移量の形で、ＥＥＰＲＯＭ５に記憶する。且つ、通常モードから混合モードに移行したときには、通常音量値とＥＥＰＲＯＭ５に記憶された変移量とに従って、第１および第２の音声信号回路１，２の増幅率のそれぞれを設定する。また、混合モードにおいては、リモートコントローラ２５に所定のキー操作（後述する）を入力すると、キー操作に応じて、音量同時変更モード、または、別音声モードに移行する。
【００７３】
以下に、第２の実施形態の動作について説明するが、第２の実施形態の動作と第１の実施形態の動作との差異は、図３に示すフローチャートのステップＳ９における音量の調整動作のみとなっている。このため、第２の実施形態の動作については、図７に示すフローチャートを参照しつつ、音量の調整時の動作についてのみ説明する。
【００７４】
混合モードとなったことから、ステップＳ６〜Ｓ８のループ動作が実行されている状態において、音量キー４２，４３の任意の側を操作すると、動作は、ステップＳ８からステップＳ９、つまり、ステップＳ４１に移行する。ステップＳ４１において、制御手段３は、図８に示したインジケータ６７をＣＲＴ１４に表示させる制御を行う。次いで、左キー４５が操作されたかどうか（ステップＳ４２）、右キー４６が操作されたかどうか（ステップＳ４３）、音量キー４２，４３が操作されたかどうか（ステップＳ４４）を調べるループ動作に移行する。
【００７５】
このループ動作において、左キー４５が操作された場合、制御手段３は、第１の音声信号回路１の音量値を増加させ、第２の音声信号回路２の音量値を減少させる制御を行う（ステップＳ４２，Ｓ５０）。つまり、ビデオゲームの側の音量を増加させ、ＣＤ側の音量を減少させる。また、この制御に対応して、インジケータ６７の指標６７１を、変更量に対応した距離分だけ左側に移動させる（ステップＳ５１）。
【００７６】
一方、上記ループ動作において、右キー４６が操作された場合、制御手段３は、第１の音声信号回路１の音量値を減少させ、第２の音声信号回路２の音量値を増加させる制御を行う（ステップＳ４３，Ｓ４９）。つまり、ビデオゲームの側の音量を減少させ、ＣＤ側の音量を増加させる。また、この制御に対応して、インジケータ６７の指標６７１を、変更量に対応した距離分だけ右側に移動させる（ステップＳ５１）。
【００７７】
また、上記ループ動作において、音量キー４２，４３の任意の側が操作された場合、左右の音量を同時に変更可能である音量同時変更モードに移行する。そして、音量同時変更モードに移行したことを示すため、インジケータ６７を点滅させる（ステップＳ４４，Ｓ４５）。この状態において、改めて音量キー４２，４３を操作すると、操作したキーに対応して、左右の音量が同時に変わる（ステップＳ４６）。そして、音量の変更が終了したときには、インジケータ６７の点滅が停止する（ステップＳ４７）。
【００７８】
なお、このときでは、指標６７１は移動しない。そして、上記した操作による音量値の変更量は、通常音量値に加算される。つまり、通常音量値が変更される。その結果、エリア６８に表示された通常音量値を示す数値が変更される（ステップＳ４８）。
【００７９】
以上で第２の実施形態の説明を終了し、以下に補足的な説明を行うと、ユーザの好みの音楽の音源については、ＣＤとした場合について説明したが、音源を、音楽を主とし、映像を従とするビデオクリップ等のように、音楽と映像とが記録されたＤＶＤ等とすることも可能になっている。また、第１のスピーカ２１から右側の音声、第２のスピーカ２２から左側の音声を出力させる構成とすることもできる。
【００８０】
【発明の効果】
以上説明したように、本発明では、制御手段は、通常モードから混合モードに移行したときには、映像表示回路に導かれる映像信号に対応した音声信号を第１の音声信号回路に導き、再生手段から出力される音声信号を第２の音声信号回路に導き、且つ、混合モードにおいては、第１の音声信号回路の音量値と第２の音声信号回路の音量値とのそれぞれを個別に変更可能とし、且つ、制御手段は、混合モードから通常モードに移行するときには、通常モードに移行する前の第１および第２の音声信号回路のそれぞれの音量値を、通常モード時の音量値である通常音量値に対する変移量として記憶手段に記憶させ、通常モードから混合モードに移行するときには、混合モードに移行する前の通常音量値と記憶手段に記憶された変移量とに従って、第１および第２の音声信号回路のそれぞれの増幅率を設定し、且つ、混合モードにおいて第１および第２の音声信号回路の音量値を個別に変更するときには、通常音量値と第１の音声信号回路の音量値との差異に対応して指標が移動する第１のインジケータと、通常音量値と第２の音声信号回路の音量値との差異に対応して指標が移動する第２のインジケータとを、互いに近接し且つ指標の移動方向が互いに同一方向となる位置関係でもって前記表示器に表示し、且つ、混合モードにおいて、入力手段に所定のキー操作を入力したときには、第１の音声信号回路の音量値と第２の音声信号回路の音量値とが、入力手段に設けられた音量キーの操作に対応して同時に増減する音量同時変更モードに移行し、且つ、制御手段は、別音声モードとなるときには、放送受信手段から出力される映像信号、または、入力端子に入力された映像信号を映像表示回路に導き、再生手段から出力される音声信号を第１および第２の音声信号回路に導いている。
【００８１】
従って、映像表示回路に導かれる映像信号と第１および第２の音声信号回路に導かれる音声信号とを、入力端子に入力されたビデオゲーム機からの信号とした状態において、混合モードに移行すると、第１のスピーカからはビデオゲーム機の音声が出力され、第２のスピーカからは再生手段により再生された音声が出力される。且つ、第１のスピーカの音量と第２のスピーカの音量とを別々に調整できる。且つ、混合モードに移行したときには、以前の混合モード時の音量の割合が復元される。且つ、同方向に指標が移動する一対のインジケータでもって、第１および第２の音声信号回路のそれぞれの音量値が表示される。且つ、音量同時変更モードに移行すると、第１および第２のスピーカの音量が同時に増減する。且つ、第１および第２のスピーカから出力される音声を、表示される映像とは別の音声とすることができる。
【００８２】
このため、ビデオゲームなどをするときに、ビデオゲームの音声に加えて、ユーザの好みの音楽をも、同時に楽しむことができ、且つ、ビデオゲームの音声の音量と好みの音楽の音量とを、快適となる割合に設定することができ、且つ、混合モードに移行したときには、以前の混合モード時の音量の割合が復元されるので、混合モードに移行したときに、再度、音量の割合を調整する操作を不要とすることができ、且つ、ビデオゲームの音声の音量と好みの音楽の音量との割合を変更するときの操作を容易にすることができ、且つ、ビデオゲームの音声の音量と好みの音楽の音量との割合を変更することなく、音量を変更するための操作を容易にすることができ、且つ、好みの音楽を聞きつつ、映像を環境映像として楽しむことができる。
【００８３】
また本発明では、制御手段は、通常モードから混合モードに移行したときには、映像表示回路に導かれる映像信号に対応した音声信号を第１の音声信号回路に導き、再生手段から出力される音声信号を第２の音声信号回路に導く構成としている。従って、入力端子にビデオゲーム機を接続するとともに、映像表示回路に導かれる映像信号と第１および第２の音声信号回路に導かれる音声信号とを、入力端子に入力される映像信号と音声信号とに切り換えたとき、混合モードに移行すると、第１のスピーカからビデオゲーム機の音声が出力され、第２のスピーカから再生手段により再生された音声が出力されるので、ビデオゲームなどをするときに、ビデオゲームの音声に加えて、ユーザの好みの音楽をも、同時に楽しむことができる。
【００８４】
また、さらに、混合モードにおいては、第１の音声信号回路の音量値と第２の音声信号回路の音量値とのそれぞれを個別に変更可能としている。従って、第１のスピーカの音量と第２のスピーカの音量とを別々に調整できるので、ビデオゲームの音声の音量と好みの音楽の音量とを、快適となる割合に設定することができる。
【００８５】
また、さらに、制御手段は、混合モードから通常モードに移行するときには、通常モードに移行する前の第１および第２の音声信号回路のそれぞれの音量値を、通常モード時の音量値である通常音量値に対する変移量として記憶手段に記憶させ、通常モードから混合モードに移行するときには、混合モードに移行する前の通常音量値と記憶手段に記憶された変移量とに従って、第１および第２の音声信号回路のそれぞれの増幅率を設定している。従って、混合モードに移行したときには、以前の混合モード時の音量の割合が復元されるので、混合モードに移行したときに、再度、音量の割合を調整する操作を不要とすることができる。
【００８６】
また、さらに、混合モードにおいて第１および第２の音声信号回路の音量値を個別に変更するときには、通常音量値と第１の音声信号回路の音量値との差異に対応して指標が移動する第１のインジケータと、通常音量値と第２の音声信号回路の音量値との差異に対応して指標が移動する第２のインジケータとを、互いに近接し且つ指標の移動方向が互いに同一方向となる位置関係でもって前記表示器に表示している。従って、同方向に指標が移動する一対のインジケータでもって、第１および第２のスピーカのそれぞれの音量が表示されるので、ビデオゲームの音声の音量と好みの音楽の音量との割合を変更するときの操作を容易にすることができる。
【００８７】
また、さらに、混合モードにおいて第１および第２の音声信号回路の音量値を個別に変更するときには、第１の音声信号回路の音量値に対応して指標が移動する第１のインジケータと、第２の音声信号回路の音量値に対応して指標が移動する第２のインジケータとを、互いに近接し且つ指標の移動方向が互いに同一方向となる位置関係でもって前記表示器に表示している。従って、同方向に指標が移動する一対のインジケータでもって、第１および第２のスピーカのそれぞれの音量が表示されるので、ビデオゲームの音声の音量と好みの音楽の音量との割合を変更するときの操作を容易にすることができる。
【００８８】
また、さらに、混合モードとなるときには、第１の音声信号回路の音量値と第２の音声信号回路の音量値とのバランスを変更可能としている。従って、第１および第２のスピーカの音量のバランスを変更することができるので、ビデオゲームの音声の音量と好みの音楽の音量とを、快適となる割合に設定することができる。
【００８９】
また、さらに、制御手段は、混合モードから通常モードに移行するときには、通常モードに移行する前の第１の音声信号回路の音量値と第２の音声信号回路の音量値とのバランス値を記憶手段に記憶させ、通常モードから混合モードに移行するときには、通常モード時の音量値である通常音量値と記憶手段に記憶させたバランス値とに従って、第１および第２の音声信号回路のそれぞれの増幅率を設定している。従って、従って、混合モードに移行したときには、以前の混合モード時の音量の割合が復元されるので、混合モードに移行したときに、再度、音量の割合を調整する操作を不要とすることができる。
【００９０】
また、さらに、混合モードにおける第１の音声信号回路の音量値と第２の音声信号回路の音量値とのバランスの変更時には、第１の音声信号回路の音量値と第２の音声信号回路の音量値とのバランスに対応して指標が水平方向に移動するインジケータを前記表示器に表示している。すなわち、指標が水平方向に移動するインジケータでもって、第１および第２のスピーカの音量の割合が表示されるので、ビデオゲームの音声の音量と好みの音楽の音量との割合を変更するときの操作を容易にすることができる。
【００９１】
また、さらに、混合モードにおいて、入力手段に所定のキー操作を入力したときには、第１の音声信号回路の音量値と第２の音声信号回路の音量値とが、入力手段に設けられた音量キーの操作に対応して同時に増減する音量同時変更モードに移行するようになっている。従って、音量同時変更モードに移行すると、第１および第２のスピーカの音量が同時に増減するので、ビデオゲームの音声の音量と好みの音楽の音量との割合を変更することなく、音量を変更するための操作を容易にすることができる。
【００９２】
また、さらに、制御手段は、別音声モードとなるときには、放送受信手段から出力される映像信号、または、入力端子に入力された映像信号を映像表示回路に導き、再生手段から出力される音声信号を第１および第２の音声信号回路に導いている。従って、第１および第２のスピーカから出力される音声を、表示される映像とは別の音声とすることができるので、好みの音楽を聞きつつ、映像を環境映像として楽しむことができる。且つ、表示する映像をテレビ用の商用放送の映像とするときには、受信した映像を環境映像として楽しむことができる、という効果も併せて得られる。
【図面の簡単な説明】
【図１】本発明に係るテレビジョン受信装置の実施形態の電気的構成を示すブロック線図である。
【図２】リモートコントローラのキースイッチを示す説明図である。
【図３】実施形態の主要動作を示すフローチャートである。
【図４】第１の実施形態における音量の調整時の動作の詳細を示すフローチャートである。
【図５】第１の実施形態のインジケータを示す説明図である。
【図６】第１の実施形態のインジケータを変形した場合を示す説明図である。
【図７】第２の実施形態における音量の調整時の動作の詳細を示すフローチャートである。
【図８】第２の実施形態のインジケータを示す説明図である。
【符号の説明】
１  第１の音声信号回路
２  第２の音声信号回路
３  制御手段
４  入力手段
５  ＥＥＰＲＯＭ（記憶手段）
６  入力端子
７  映像表示回路
８  放送受信手段
９  再生手段
１４  ＣＲＴ（表示器）
２１  第１のスピーカ
２２  第２のスピーカ
６１，６４  第１のインジケータ
６２，６５  第２のインジケータ
６７  インジケータ
６１１，６２１，６４１，６５１，６７１  指標
【図１】
0004051607.tif 000002
【図２】
0004051607.tif 000003
【図３】
0004051607.tif 000004
【図４】
0004051607.tif 000005
【図５】
0004051607.tif 000006
【図６】
0004051607.tif 000007
【図７】
0004051607.tif 000008
【図８】
0004051607.tif 000009